(57)【要約】【課題】  運転が禁じられている飲酒運転、薬物摂取運転、過労による居眠り運転、加齢による運転および健康障害を伴う運転などの運転脳力低下により事故発生の予兆を発見し、事故発生を防止して交通安全を確保し、特に飲酒運転を撲滅することを最大の課題としている。【解決手段】  個人を認証判別し、安全運転に必要な視覚から手足への機敏な瞬発力と脳の運転集中能力と運転予知能力を測定し、正常時を基準に比較診断し、運転能力に支障が無いかどうかを演算して判定し、著しい安全運転能力低下時に起動スイッチをロックして自走を停止することを特徴とする安全運転診断システム付き自動車である。【選択図】  図１
2009126220.tif 000002
【特許請求の範囲】
【請求項１】
安全運転診断手段と起動スイッチにロック装置のＯＮ／ＯＦＦ手段と個人判別の認証手段と演算制御手段とこの演算データを記憶する記憶手段をシステム化して、個人を認証判別し、安全運転に必要な視覚から手足への機敏な瞬発力と脳の運転集中能力と運転予知能力を測定し、正常時を基準に比較診断し、運転能力に支障が無いかどうかを演算して判定し、著しい安全運転能力低下時に起動スイッチをロックして自走を停止し、運転が禁じられている飲酒運転、薬物摂取運転、過労による居眠り運転、加齢による運転および健康障害を伴う運転などの運転脳力低下により事故発生の予兆を発見し、事故発生を防止して交通安全を確保することを特徴とする安全運転診断システム付き自動車。
【発明の詳細な説明】
【技術分野】
【０００１】
本発明は、現在社会問題になっている自動車の飲酒運転事故を減し、重大な交通事故を減少させるもので、安全運転環境によく、且つ人身事故による死亡事故を大幅に減少させるので、交通事故による人的社会的経済的損失を大幅に低減できるし、潜在化している薬物摂取運転、過労による居眠り運転、加齢による運転、健康障害上の運転などによる交通事故を未然に防止し、交通安全を確保し人的損害や社会的経済的損害を大幅に低減すると共に交通事故被害者の心情的不条理の発生を無くす画期的な発明である安全運転診断システム付き自動車に関するものである。
【背景技術】
【０００２】
本発明は社会問題となっている飲酒運転による交通事故、強いては死亡事故の多発に、批判の声が高まっている中で自動車メーカーとしても、責任の一旦が有り、なんらかの対策を講ずることが望まれていた。そこで対策の一つとして飲酒運転者のアルコールによる酩酊を間接的に検出して、運転の不適正を診断し、飲酒運転者の運転を強く禁じてメインスイッチをロックして運転不能にしたことを特徴とする安全運転診断システム付き自動車に関するものである。
【特許文献１】特開２００６−０２０４５５
【発明の開示】
【発明が解決しようとする課題】
【０００３】
運転が禁じられている飲酒運転、薬物摂取運転、過労による居眠り運転、高齢者による運転、健康障害を伴う運転などの運転脳力低下により事故発生の予兆を発見し、また交通違反を繰り返し行う運転不適者は、事故を誘発し、強いては人身事故の交通事故の１原因になっていた。そこで、個人を認証判別し、安全運転に必要な視覚から手足への機敏な瞬発力と脳の運転集中能力と運転予知能力を測定し、前もって正常時に計測してデータをデータ収録装置に収録し、ここからデータを引き出した正常時のデータを基準に比較診断し、運転能力に支障が無いかどうかを演算制御装置で演算して判定し、著しい安全運転能力低下時には起動スイッチをロックして自走を停止し交通事故発生を未然に防止することを最大の目的としている。
【課題を解決するための手段】
【０００４】
安全運転診断手段と起動スイッチにロック装置のＯＮ／ＯＦＦ手段と個人判別の認証手段と演算制御手段とこの演算データを記憶する記憶手段をシステム化して構成し、個人を認証判別し、安全運転に必要な視覚から手足への機敏な瞬発力と脳の運転集中能力と運転予知能力を測定し、正常時を基準に比較診断し、運転能力に支障が無いかどうかを演算して判定し、著しい安全運転能力低下時に起動スイッチをロックして自走を停止し、事故発生の予兆を発見し、強いては事故発生を防止して交通安全を確保することを特徴とする安全運転診断システム付き自動車。
【発明の効果】
【０００５】
運転者の個人の認証から交通事故時の交通規則違反や特に飲酒運転重大違反を免れるための摩り替わりを防止し、運転に必要な瞬発力、集中能力、予知能力を計測し安全運転の客観的な評価を具現化し、安全運転不適合者を選別排除することを可能にし、かつ交通事故すなわち飲酒運転による人身事故を少なくし、交通安全を確保する画期的な発明である。
【実施例】
【０００６】
図１は本発明の基本構成で機能図を示すブロック図である。始めにこの図１を基にして本発明の基本手段とその機能と構成を説明する。
【０００７】
１は本発明の主要用件の１つで、後で述べる安全運転検査画像および検査のための解答を運転被検者の指で知らせるキーを画像で表示するタッチパネルのモニターであり、２はモニター１の一部を占め瞬発力、集中能力、予測能力を検査する画像を映し出し、検査の種類によっては解答を運転被検者の指で直接タッチして知らせる安全運転検査画像エリアであり、３は主要検査の一つで運転被検者の反射神経の正常さを検査する瞬発力診断キーであり、４は主要検査のもう一つのキーで運転被検者の運転時の集中力を検査する集中能力診断キーであり、５は主要検査のもう一つのキーで運転被検者の安全運転能力の中で最も重要な能力で事故発生を予測して回避する能力を検査する予知能力診断キーであり、６は加齢による能力低下を測る項目で、また交通規則と交通標識などの知識の理解度を検査する記憶力診断キーであり、７は前述の安全運転検査項目すなわち瞬発力検査、集中能力検査、予知能力検査などの検査項目にたいする答えを番号で、あるいはアルファベット等の順列番号を指タッチで答えるのに表示した順列番号キーである。以上は安全運転診断手段の構成要素を示すものである。８は前記安全運転検査で得た答えの正答率と検査の答え終了までにかかった時間をデータ化して、最初の正常時データから収録し加齢による検査結果の微減も許容できる値を比較可能なデータを収録するデータ収録装置である。これは記憶手段の構成要素である。９は随時安全運転検査で得た答えと検査終了までにかかった時間をこれまでに蓄積されたデータと比較診断し、それを基にして不安全運転時にロックし走行を強制停止するのが演算制御装置であり、これが演算制御手段での要素である。１０は運転者の固体の独自性を認定し、他者の介入や運転者の摩り替わりを防止する指の指紋または指静脈データを収集する認証装置であり、これが認証手段の具体的装置である。１１はメインスィッチをロックしたり解除したりするロック装置である。これがロック装置のＯＮ／ＯＦＦ手段の具体的要素である。
【０００８】
これらの手段で構成することを基本機能構成とする。この基本機能構成の機能手段の動作を説明する。
【０００９】
これらの装置の多くはソフトが占めており、ナビゲーターと供用することができる。そこで、本機能をナビゲーターに組み込んだ状態を想定して、本発明を説明する。
【００１０】
まず、自動車購入時に初期データをナビゲーターを通して入力する。まず、自動車固有の情報、運転者の個人情報すなわち名前、生年月日、住所、電話番号等、次に自動車の走行を可能にする指紋または指静脈のデータを収集しデータ収録装置８に収録する。
【００１１】
そして、運転者は自動車にのり、安全ベルトを掛け、メインスゥッチを起動する。同時に各計器およびナビゲーターが起動し、ならびに変速機のパーキングからドライブへの変換を電気的にロック装置１１でロックして発車しないようにし、その上で認証装置１０が起動し、車運転者の指紋または指静脈のデータを収集し、かつ、初期入力した指紋または指静脈のデータと比較し、運転者が認証登録した本人自身であることを確認して、ナビゲーターのモニター１に安全運転検査画像を表示する。
【００１２】
モニター１の安全運転検査画像エリア２に初期画面を表示し、同時に、瞬発力診断キー３、集中能力診断キー４、予測能力診断キー５、記憶力診断キー６、順列番号キー７を表示する。まず、販売会社のセールスマンの立会いの基に瞬発力診断キー３を選択し、安全運転検査が始まる。安全運転検査画像エリア２に水の沸騰の泡のように、微少泡から大きな泡に変化する泡表面に番号が表記されていて、このランダムに表記された番号を理解した瞬間に、その番号に合った順列番号キー７をタッチして解答する。この検査を複数回行い、この解答の正答率とこの検査に要した時間とを演算制御装置９を介してデータ収録装置８に記録する。
【００１３】
次に、集中能力診断キー３を選択し、加減乗除の簡単な計算式がランダムに表示される。計算式が表示されるごとに順列番号キー７をタッチして解答する。この検査を複数回行い、この解答の正答率とこの検査に要した時間とを演算制御装置９を介してデータ収録装置８に記録する。
【００１４】
次に、予測能力診断キー５を選択し、上面と左右両が壁になり、かつ順列番号キー７前に左右壁までの半分以下の長さで、左右に動かせるカーソルを表示し、左右の壁とカーソルの間から自由な方向に投げ込まれるボールが壁に反射して順列番号キー７前方に飛んでくるのをカーソルが当たると思われる数字を事前にタッチして動かし反射させ１０回以上継続させた時の時間とを演算制御装置９を介してデータ収録装置８に記録する。
【００１５】
以上の検査結果を平常時の基準値にして、再起動時の比較対照値にし、安全運転検査の初期値を入力し終える。
【００１６】
日を変えて、飲酒運転をしようとした場合を説明する。
【００１７】
飲酒をした運転者が自動車にのり、安全ベルトを掛け、メインスゥッチを起動する。同時に各計器およびナビゲーターが起動し、ならびに変速機のパーキングからドライブへの変換を電気的にロック装置１１でロックして発車しないようにし、その上で認証装置１０が起動する。このとき、運転者の指紋または指静脈のデータが収集されると、初期入力した指紋または指静脈のデータと比較し、運転者が認証登録した本人自身であることを確認して、ナビゲーターのモニター１に安全運転検査画像が表示される。
【００１８】
このとき、運転者が飲酒して安全運転検査を他人に代行してもらうとか、事故を起こした場合の摩り替わりを防止する。
【００１９】
モニター１に安全運転検査画像が表示されと、自動的に瞬発力診断キー３を選択し、安全運転検査が始まる。安全運転検査画像エリア２に水沸騰の泡のように、微少泡から大きな泡に変化する泡表面に番号が表記されていて、このランダムに表記された番号を理解した瞬間に、その番号に合った順列番号キー７をタッチして解答する。この検査を１０回以上行い、この解答の正答率とこの検査に要した時間を演算制御装置が平常時のデータをデータ収録装置８から引っ張り出し比較診断し、正答率の急激な低下または所要時間の係りすぎから飲酒運転等と判定し、変速機のパーキングからドライブへの変換を電気的にロック装置１１でロックして発車しないようにする。
【００２０】
飲酒運転が明らかに判定できないグレイの時、自動的に集中能力診断キー３を選択し、加減乗除の簡単な計算式がランダムに表示される。計算式が表示されるごとに順列番号キー７をタッチして解答する。この検査を１０回以上行い、この解答の正答率とこの検査に要した時間を演算制御装置９が平常時のデータをデータ収録装置８から引っ張り出し比較診断し、正答率の急激な低下または所要時間の係りすぎから飲酒運転等と判定し、変速機のパーキングからドライブへの変換を電気的にロック装置１１でロックして発車しないようにする。
【００２１】
更なる飲酒運転が明らかに判定できないグレイの時、自動的に予測能力診断キー５を選択し、上面と左右両が壁になり、かつ順列番号キー７前に左右壁までの半分以下の長さで左右に動かせるカーソルを表示し左右の壁とカーソルの間から自由な方向に投げ込まれるボールが壁に反射して順列番号キー７前方に飛んでくるのをカーソルが当たると思われる数字を事前にタッチして動かし反射させ１０回以上継続させた時の時間を演算制御装置９が平常時のデータをデータ収録装置８から引っ張り出し比較診断し所要時間の係りすぎから飲酒運転等と判定し変速機のパーキングからドライブへの変換を電気的にロック装置１１でロックして発車しないようにする。
【００２２】
一旦ロックした自動車は無理に動かそうとした場合はハザードランプを点滅し、更なる無理な操作をした時はクラクションを鳴らすようにする。
【００２３】
ロックの回復は、初期に登録した販売会社のセールスマン、優良免許証を持つ親近者、優良免許証を持つ務め先の上長、１０年以上無事故無違反の優良運転者の運転代行で解除できるようにする。または、運転停止状態が２４時間経過したら解除する。運転走行および停止の回数が多くなるにつれて、運転車固有の安全運転検査データが積み重なり、本人と他人の判別が正確になり、飲酒運転をする毎に、検査の映像が早くなり、検査の回数および検査時間が長くなり、ロックが掛かり易くなるようになる。
【００２４】
なお、記憶力診断キー６は前記３つの安全運転診断を経ても、判定がつかなかった場合、一定時間を経過させるために行うもので、また加齢による安全運転診断の低下を加味する基礎データとし、データ収録装置に収録する。この記憶力診断を経て、再度最初の集中能力診断に戻って、判定の決着がつくまで、行うことになる。
【００２５】
これより、飲酒運転を撲滅し、安全運転の優良運転者が、快適な走行出来る社会となる。
【産業上の利用可能性】
【００２６】
本発明の実施例の説明は乗用車を対象にしてきたが、トラック、その他の乗り物にも適用できるものである。
【図面の簡単な説明】
【００２７】
【図１】基本構成で機能図を示すブロック図
【符号の説明】
【００２８】
１はタッチパネルのモニター
２は安全運転検査画像エリア
３は瞬発力診断キー
４は集中能力診断キー
５は予知能力診断キー
６は記憶力診断キー
７は順列番号キー
８はデータ収録装置
９は演算制御装置
１０は認証装置
１１はロック装置
【図１】
2009126220.tif 000003